【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
支持体上にインク受容層を設けてなるインクジェット記録用媒体の製造方法において、該インク受容層を、平均粒子径が０．０５μｍ以下の自己乳化性高分子を少なくとも含む、該自己乳化性高分子の水分散物含有塗布液を用いて形成することを特徴とするインクジェット記録用媒体の製造方法。
【請求項２】
前記自己乳化性高分子の水分散物が、カチオン性ウレタン樹脂の水分散物であり、且つそのガラス転移温度が５０℃以上であることを特徴とする請求項１に記載のインクジェット記録用媒体の製造方法。
【請求項３】
前記インク受容層が、更に水溶性樹脂を含有することを特徴とする請求項１又は２に記載のインクジェット記録用媒体の製造方法。
【請求項４】
前記水溶性樹脂が、ポリビニルアルコール系樹脂、セルロース系樹脂、エーテル結合を有する樹脂、カルバモイル基を有する樹脂、カルボキシ基を有する樹脂、及びゼラチン類から選ばれる少なくとも１種であることを特徴とする請求項３に記載のインクジェット記録用媒体の製造方法。
【請求項５】
前記インク受容層が、水溶性樹脂を架橋し得る架橋剤を含有することを特徴とする請求項３又は４に記載のインクジェット記録用媒体の製造方法。
【請求項６】
前記インク受容層が、更に微粒子を含有することを特徴とする請求項１〜５のいずれかに記載のインクジェット記録用媒体の製造方法。
【請求項７】
前記微粒子が、シリカ微粒子、コロイダルシリカ、アルミナ微粒子、及び擬ベーマイトから選ばれる少なくとも１種であることを特徴とする請求項６に記載のインクジェット記録用媒体の製造方法。
【請求項８】
前記インク受容層が、更に媒染剤を含有することを特徴とする請求項１〜７のいずれかに記載のインクジェット記録用媒体の製造方法。
【請求項９】
前記インク受容層が、少なくとも微粒子と水溶性樹脂を含有する塗布液を塗布した塗布層を架橋硬化させた層であり、該架橋硬化が、上記塗布液及び／又は下記塩基性溶液に架橋剤を添加し、且つ（１）上記塗布液を塗布して塗布層を形成すると同時、又は（２）上記塗布液を塗布して形成される塗布層の乾燥途中であって該塗布層が減率乾燥速度を示す前、の何れかの時に、ｐＨが８以上の塩基性溶液を上記塗布層に付与することにより行われることを特徴とする請求項１〜８のいずれかに記載のインクジェット記録用媒体の製造方法。
【手続補正２】
【補正対象書類名】明細書
【補正対象項目名】発明の名称
【補正方法】変更
【補正の内容】
【発明の名称】インクジェット記録用媒体の製造方法
【手続補正３】
【補正対象書類名】明細書
【補正対象項目名】０００１
【補正方法】変更
【補正の内容】
【０００１】
本発明はインクジェット記録用媒体の製造方法に関し、特に、良好な光沢度と高い印画濃度を保持しながら、画像の経時ニジミが改良されたインクジェット記録用媒体を製造する方法に関する。
【手続補正４】
【補正対象書類名】明細書
【補正対象項目名】００１５
【補正方法】変更
【補正の内容】
【００１５】
本発明は、上記事情に鑑みて為されたものであり、良好なインク吸収性と光沢度を有し高解像度で高濃度な画像を形成でき、画像部の保存性（耐光性、耐オゾン性等）に優れ、且つ特に高温高湿環境下に長時間保存された場合でも経時ニジミが発生することがないインクジェット記録用媒体を提供することにある。
【手続補正５】
【補正対象書類名】明細書
【補正対象項目名】００１６
【補正方法】変更
【補正の内容】
【００１６】
上記課題を解決するための本発明の手段は以下の通りである。即ち、
＜１＞  支持体上にインク受容層を設けてなるインクジェット記録用媒体の製造方法において、該インク受容層を、平均粒子径が０．０５μｍ以下の自己乳化性高分子を少なくとも含む、該自己乳化性高分子の水分散物含有塗布液を用いて形成することを特徴とするインクジェット記録用媒体の製造方法。
＜２＞  前記自己乳化性高分子の水分散物が、カチオン性ウレタン樹脂の水分散物であり、且つそのガラス転移温度が５０℃以上であることを特徴とする上記<１>に記載のインクジェット記録用媒体の製造方法。
＜３＞  前記インク受容層が、更に水溶性樹脂を含有することを特徴とする上記<１>又は<２>に記載のインクジェット記録用媒体の製造方法。
＜４＞  前記水溶性樹脂が、ポリビニルアルコール系樹脂、セルロース系樹脂、エーテル結合を有する樹脂、カルバモイル基を有する樹脂、カルボキシ基を有する樹脂、及びゼラチン類から選ばれる少なくとも１種であることを特徴とする上記<３>に記載のインクジェット記録用媒体の製造方法。
＜５＞  前記インク受容層が、水溶性樹脂を架橋し得る架橋剤を含有することを特徴とする上記<３>又は<４>に記載のインクジェット記録用媒体の製造方法。
＜６＞  前記インク受容層が、更に微粒子を含有することを特徴とする上記<１>〜<５>のいずれかに記載のインクジェット記録用媒体の製造方法。
＜７＞  前記微粒子が、シリカ微粒子、コロイダルシリカ、アルミナ微粒子、及び擬ベーマイトから選ばれる少なくとも１種であることを特徴とする上記<６>に記載のインクジェット記録用媒体の製造方法。
＜８＞  前記インク受容層が、更に媒染剤を含有することを特徴とする上記<１>〜<７>のいずれかに記載のインクジェット記録用媒体の製造方法。
＜９＞  前記インク受容層が、少なくとも微粒子と水溶性樹脂を含有する塗布液を塗布した塗布層を架橋硬化させた層であり、該架橋硬化が、上記塗布液及び／又は下記塩基性溶液に架橋剤を添加し、且つ（１）上記塗布液を塗布して塗布層を形成すると同時、又は（２）上記塗布液を塗布して形成される塗布層の乾燥途中であって該塗布層が減率乾燥速度を示す前、の何れかの時に、ｐＨが８以上の塩基性溶液を上記塗布層に付与することにより行われることを特徴とする上記<１>〜<８>のいずれかに記載のインクジェット記録用媒体の製造方法。
【手続補正６】
【補正対象書類名】明細書
【補正対象項目名】００１７
【補正方法】変更
【補正の内容】
【００１７】
本発明に依れば、良好な光沢性と印画濃度を保持しながら、画像の経時ニジミを改善したインクジェット記録用媒体が得られるインクジェット記録用媒体の製造方法を提供することができる。
【手続補正７】
【補正対象書類名】明細書
【補正対象項目名】００１８
【補正方法】変更
【補正の内容】
【００１８】
本発明のインクジェット記録用媒体の製造方法は、支持体上に設けられたインク受容層が、少なくとも自己乳化性高分子の水分散物を含む塗布液を用いて形成され、該水分散物の平均粒子径が０．０５μｍ以下であることを特徴とする。更に、本発明においては、インク受容層には、目的ないし必要に応じて、水溶性樹脂や架橋剤、微粒子、媒染剤、その他の添加剤などを含有することができる。また、支持体上には更に他の層が設けられていてもよい。尚、本発明においては、インク受容層は、後述するＷＯＷ法により支持体上に形成される態様が好ましい。
以下、本発明の主要な構成及び製造につき詳細に説明する。
【手続補正８】
【補正対象書類名】明細書
【補正対象項目名】００１９
【補正方法】変更
【補正の内容】
【００１９】
（自己乳化性高分子の水分散物）
本発明においては、インクジェット記録用媒体のインク受容層は、少なくとも「自己乳化性高分子」の水分散物を含む塗布液を用いて形成される。この「自己乳化性高分子」とは、乳化剤もしくは界面活性剤を用いることなく、或いは用いるとしてもごく少量の添加で、水系分散媒体中に自然に安定した乳化分散物となり得る高分子化合物を意味する。定量的には、上記「自己乳化性高分子」とは、室温２５℃で水系分散媒体に対して０．５質量％以上の濃度で安定して乳化分散性を有する高分子物質を表し、該濃度としては１質量％以上であることが好ましく、特に３質量％以上であることがより好ましい。
【手続補正９】
【補正対象書類名】明細書
【補正対象項目名】００６６
【補正方法】変更
【補正の内容】
【００６６】
本発明のインク受容層において、上記自己乳化性高分子の含有量としては、インク受容層を構成する全固形分の０．１〜３０質量％が好ましく、０．３〜２０質量％がより好ましく、特に０．５〜１５質量％が最も好ましい。該含有量が０．１質量％未満であると、経時ニジミの改善効果が不十分となる傾向があり、一方、該含有量が３０質量％を超えると、微粒子及びバインダー成分の割合が少なくなり、高画質記録紙へのインク吸収性が低下する傾向がある。
【手続補正１０】
【補正対象書類名】明細書
【補正対象項目名】０１３４
【補正方法】変更
【補正の内容】
【０１３４】
（インクジェット記録用媒体の作製）
本発明において、インクジェット記録用媒体のインク受容層は、例えば、支持体上に少なくとも本発明に係わる自己乳化性高分子の水分散物及び微粒子と水溶性樹脂を含有する塗布液（第１塗液）を塗布して塗布層を形成し、更に上記塗布液（第１塗液）及び／又は下記塩基性溶液（第２塗液）に架橋剤を添加し、且つ（１）上記塗布液（第１塗液）を塗布して塗布層を形成すると同時、又は（２）上記塗布液（第１塗液）を塗布して形成される塗布層の乾燥途中であって該塗布層が減率乾燥速度を示す前、の何れかの時に、ｐＨが８以上の塩基性溶液（第２塗液）を上記塗布層に付与し、上記塗布層を架橋硬化させる方法（これを「Ｗｅｔ ｏｎ Ｗｅｔ法」と称する。）により形成されるのが好ましい。
【手続補正１１】
【補正対象書類名】明細書
【補正対象項目名】０１６６
【補正方法】変更
【補正の内容】
【０１６６】
（インクジェット記録用媒体の作製）
前記の支持体のオモテ面にコロナ放電処理を行なった後、上記で得られたインク受容層用塗布液を、支持体のオモテ面にエクストルージョンダイコーターを用いて１７０ｍｌ／ｍ2の塗布量で塗布し（塗布工程）、熱風乾燥機にて温度４０℃（風速５ｍ／ｓｅｃ）で塗布層の固形分濃度が１８％になるまで乾燥させた。この間、上記塗布層は恒率乾燥速度を示した。その直後、下記組成からなる塩基性溶液（ｐＨ＝９．６）に浸漬して、上記塗布層上にその２０ｇ／ｍ2を付着させ（溶液付与工程）、更に温度８０℃で１０分間乾燥させた（乾燥工程）。これにより、乾燥膜厚３５μｍのインク受容層が設けられた、本発明によるインクジェット記録用媒体（１）を得た。
【手続補正１２】
【補正対象書類名】明細書
【補正対象項目名】０１６８
【補正方法】変更
【補正の内容】
【０１６８】
［実施例２］
実施例１において、<インク受容層用塗布液の組成>中の(7)添加剤（カチオン性ウレタン樹脂水分散物）の代わりに、(7)添加剤（例示化合物：Ｐ−５、平均粒子径：０．０２μm、Ｔｇ＝７５℃、１０％分散液）を用いたこと以外は、実施例１と同様にして、本発明によるインクジェット記録用媒体（２）を得た。
【手続補正１３】
【補正対象書類名】明細書
【補正対象項目名】０１７５
【補正方法】変更
【補正の内容】
【０１７５】
上記表１に示す様に、平均粒子径が０．０５μｍ以下である自己乳化性高分子の水分散物を含有する本発明により製造されたインクジェット記録用媒体（１）及び（２）は、比較例のインクジェット記録用媒体（３）及び（４）に比較して、印画濃度と光沢度において同水準以上を維持しながら、経時ニジミが改善されていることが判明した。